(57)【特許請求の範囲】
【請求項１】
リュックサックの上面から両側面及び前面を覆ってリュックサックに装着され得るリュックサックカバーとそれを収納する収納ポケットとを備えるリュックサックであって、
上記収納ポケット（２０）はその上端ポケット開口の一部がリュックサック（１０）の上面（１０a ）の背板側に固定されてリュックサック上部において外装または内装可能で、上記リュックサックカバー（２１）は防水性又は撥水性を有し、前記収納ポケットに折り畳んで収納され、取り出すとリュックサック（１０）の上面（１０a ）から両側面（１０ｃ）及び前面（１０ｂ）を覆う蓑形状をなし、上記カバー（２１）の周縁部（２２）には底部を除いて両側下端部（２２ａ）から上端部中央（２２ｂ）まで延びる紐挿通部（２３）が形成され、該紐挿通部（２３）には通し紐（２４）が挿通されており、上記その両側下端部（２２ａ）がリュックサック（１０）の背板（１１）側の一対の背負いベルト（１２）の下端部（１２ｂ）又はその近傍に係止され、両側下端部（２２ａ）を底辺の２点とし紐止めクリップ（２５）を頂点とする三角形状に拡げられ、上記カバー（２１）の周縁部（２２）が上記通し紐（２４）によって巾着状に引締められ、紐止めクリップ（２５）によって引締め状態が保持されることにより、上記カバー（２１）周縁部（２２）がリュックサック（１０）の背板（１１）側に廻り込み、リュックサック（１０）の上面（１０ａ）及び両側（１０ｃ）から前面（１０ｂ）が上記カバー（２１）によって覆われるように構成される一方、上記カバー（２１）の底部にはその下端下方に収縮されない雨だれ避けスカート（２１１）が形成されていることを特徴とするカバー付きリュックサック。
【請求項２】
リュックサック（１０）には上記収納ポケット（２０）が上面（１０ａ）から前面（１０ｂ）に垂れ下がるように設けられるか、あるいはリュックサック（１０）に内蔵されてリュックサック（１０）の上面（１０ａ）に開閉可能な収納口が設けられており、収納ポケット（２０）に上記カバー（２１）が折り畳んで収納されるようになした請求項１記載のリュックサック。
【発明の詳細な説明】
【技術分野】
【０００１】
本発明はリュックサックカバーに関し、特に背負い式のリュックサックに取付けられ、リュックサックのサイズに応じてカバー寸法を自由に合わせることができるようにしたカバーに関する。
【背景技術】
【０００２】
通常、リュックサックは、撥水性の生地や防水性の生地で製造されることがあり、雨が降っても収納物が濡れることは少ない。しかし、長い時間、強い雨にあたる場合には完全な撥水性や防水性を保障できない。
【０００３】
従来から、リュックサック用の防水カバーが種々提案されている。例えば、カバー周縁部に伸縮性のゴム紐を挿入し、リュックサックにかぶせてリュックサック全体を覆うものが汎用されている。そして、外出時に雨が予想される場合には防水カバーを携帯し、雨が降ってきたときに防水カバーをリュックサックに被せるようにしているが、防水カバーを別途携帯することは煩わしい。
【０００４】
他方、リュックサックの底面部位に防水カバーを一体に付属させ、不意の降雨にも確実に使用でき、しかも使用時に防水カバーがリュックサックから簡単に外れることのないようにしたリュックサックカバーが提案されている（特許文献１）。
【先行技術文献】
【特許文献】
【０００５】
【特許文献１】実用新案登録第３１２６２２６号
【発明の概要】
【発明が解決しようとする課題】
【０００６】
しかし、特許文献１記載のリュックサックカバーではカバー周縁のゴム紐の伸縮によってリュックサックへの取付け状態を保持するようにしているので、リュックサックのサイズに応じて大中小のカバーを準備する必要があるので、カバーの種類が多くなって製造コストが高くなる。
【０００７】
本発明はかかる問題点に鑑み、リュックサックのサイズに関係なく一種類のカバーで対応でき、しかもリュックサックにしっかりと保持でき、強風であっても雨水による濡れを確実に防止できるリュックサックカバーを提供することを課題とする。
【課題を解決するための手段】
【０００８】
そこで、本発明に係るリュックサックカバーは、リュックサックの上面から両側面及び前面を覆ってリュックサックに装着され得るリュックサックカバーであって、カバーは防水性又は撥水性を有し、リュックサックの上面から両側面及び前面を覆う蓑形状をなし、上記カバーの周縁部には両側下端部から上端部中央まで延びる紐挿通部が形成され、該紐挿通部には通し紐が挿通されており、上記カバーは、その両側下端部がリュックサックの背板側の一対の背負いベルトの下端部又はその近傍に係止され、両側下端部を底辺の２点とし紐止めクリップを頂点とする三角形状に拡げられ、上記カバーの周縁部が上記通し紐によって巾着状に引き締められ、紐止めクリップによって引締め状態が保持されることにより、上記カバー周縁部がリュックサックの背板側に廻り込み、リュックサックの上面及び両側から前面が上記カバーによって覆われるようになしたことを特徴とする。
【０００９】
本発明の主たる特徴は、カバーを全体として蓑形状となし、その両側下端をリュックサックの背負いベルトの下端部又はその近傍に係止し、三角形の底辺の２点とし上端部中央を頂点とする三角形を構成して拡げた後、巾着の口を締めるようにカバー周縁部を絞るようにした点にある。
【００１０】
これにより、カバーのサイズ調整ができるので、リュックサックのサイズに応じた大きさのカバーを準備する必要がなく、製造がコスト高になることがない。しかも、カバーの周縁部がリュックサックの背板側に廻り込み、雨漏れのし易いリュックサックの上面及び両側面をしっかりと覆い隠すことができるので、強風であってもカバーがリュックサックにしっかりと装着でき、雨水濡れを確実に防止できる。
【００１１】
また、リュックサックには収納ポケットを上面から前面に垂れ下がるように設けるか、リュックサックに内蔵してリュックサックの上面に開閉可能な収納口を設けるか、あるいはリュックサックの底面に収納ポケットを一体的に設け、収納ポケットにカバーを折り畳んで収納するようにすると、常に収納ポケット内にカバーを収納して携行できるので、カバーの携行を忘れることがない。
【００１２】
さらに、カバーの下端縁に雨だれ避けスカートを形成すると、リュックサックが雨だれによって濡れるのを抑制できる。
【図面の簡単な説明】
【００１３】
【図１】本発明に係るリュックサックカバーの好ましい実施形態における正面からの状態（ａ）及び背面からの状態（ｂ）を示す斜視図である。
【図２】上記実施形態において収納ポケットからカバーを取り出した状態を示す斜視図である。
【図３】取り出したカバーをリュックサックに被せた状態を示す斜視図である。
【図４】カバーの両側下端部を係止し上端を引き上げた状態（一点鎖線）及び通し紐を引き締めた状態を示す斜視図である。
【図５】引き締めた通し紐を紐止めクリップによって保持した状態を示す斜視図である。
【図６】リュックサックを被せたカバーの背面からの状態（ａ）及び背面斜めからの状態（ｂ）を示す斜視図である。
【図７】第２の実施形態を示す図である。
【図８】第３の実施形態を示す図である。
【発明を実施するための形態】
【００１４】
以下、本発明を図面に示す具体例に基づいて詳細に説明する。図１ないし図６は本発明に係るリュックサックカバーの好ましい実施形態を示す。図において、リュックサック１０の背板１１側には一対の背負いベルト１２が設けられている。このリュックサック１０の左右の背負いベルト１２の上端部には図１の（ｂ）に示されるように収納ポケット２０が取付けバンド２０ａによって取付けられ、収納ポケット２０はリュックサック１０の上面１０ａから前面１０ｂに垂れ下がるようになっており、収納ポケット２０の収納口はボタン２０ｂによって閉鎖されるようになっている。
【００１５】
この収納ポケット２０内には図２に示されるように、カバー２１の上端部２１ａが固着され、その他の部分は折り畳まれて収納ポケット２０内に収納されている。このカバー２１は防水性の布（防水布）２１０とその下端縁に下方に広がる防水性のスカート部２１１とから構成され、収納ポケット２０から取り出して拡げると、図３に示されるように、リュックサック１０の上面１０ａから両側面１０ｃ及び前面１０ｂを覆うことのできる蓑形状を構成するようになっている。
【００１６】
カバー２１の防水布２１０の周縁部２２には両側下端部２２ａから上端部中央２２ｂまで延びる紐挿通部２３が縫合などによって形成され、紐挿通部２３には通し紐２４が挿通され、通し紐２４の上端部は紐止めクリップ２５に挿通され、又通し紐２４の両側下端部には係止クリップ２４ａが取付けられて紐挿通部２３から露出されている。
【００１７】
リュックサック使用中に雨が降ってきた場合、図４に示されるように、係止クリップ２４ａを背負いベルト１２の下端部１２ｂ又はその近辺に係止してカバー２１の防水布２１０の両側下端部をリュックサック１０に仮止めすることができる。
【００１８】
その状態で紐止めクリップ２５を引き上げると、一点鎖線で示されるように、防水布２１０の周縁部２２の両側下端部２２ａを三角形、好ましくは二等辺三角形の底辺の２点とし、紐止めクリップ２５を頂点とする三角形状に拡げることができるので、紐止めクリップ２５を通し紐２４に沿って押し下げると、防水布２１０の周縁部２２を実線で示されるように縮小することができる。
【００１９】
そこで、図５に示されるように、紐止めクリップ２５を通し紐２４に沿って適当な位置まで押し下げると、防水布２１０の周縁部２２がリュックサック１０の背板１１側に廻り込んで引き締められ、図６の（ａ）（ｂ）に示されるように、カバー２１の防水布２１０はリュックサック１０の上面１０a 及び両側面１０ｃから前面１０ｂを覆うようにリュックサック１０を被包することになる。
【００２０】
以上のように、カバー２１を収納ポケット２０から取出してリュックサック１０に被せることにより、カバー２１による防水性とリュックサック１０の生地の防水性とがあいまって、リュックサック１０内の収納物に対して二重防水を達成できる。
【００２１】
また、風雨が強い場合であっても、カバー２１は巾着状に絞られてリュックサック１０の背板１１側に廻り込んでいるので、カバー２１がリュックサック１０から外れることはなく、リュックサック１０の上面、前面及び両側面を確実に被包することができる。
【００２２】
さらに、カバー２１は防水布２１０の周縁部２２が通し紐２４によって巾着状に引き締められてリュックサック１０に装着されるので、１種類のカバー２１によって大中小のリュックサック１０に使用することができる。
【００２３】
図７は第２の実施形態を示し、図において図１ないし図６と同一符号は同一又は相当部分を示す。本例では収納ポケット２０をリュックサック１０に内蔵し、リュックサック１０の上面１０ａに収納口を形成し、収納口をボタン２０ｂによって封鎖するようにしている。なお、この場合にはカバー２１の上端部は必ずしも収納ポケット２０に固着する必要はなく、カバー２１を収納ポケット２０から取り出して洗浄し乾燥できるようにすることもできる。
【００２４】
図８は第３の実施形態を示し、図において図１ないし図６と同一符号は同一又は相当部分を示す。本例では収納ポケット２０をリュックサック１０の底面に一体的に設け、収納ポケット２０の収納口をボタン２０ｂによって封鎖するようにしている。また、この場合、カバー２１は収納ポケット２０に固着されていない。
【符号の説明】
【００２５】
１０      リュックサック
１０ａ    上面
１０ｂ    正面
１０ｃ    側面
１２      背負いベルト
１２ｂ    下端部
２０      収納ポケット
２１      カバー
２１１    雨だれ避けスカート
２２      周縁部
２２ａ    両側下端部
２３      紐挿通部
２４      通し紐
２５      紐止めクリップ
【図１】
0005378464.tif 000002
【図２】
0005378464.tif 000003
【図３】
0005378464.tif 000004
【図４】
0005378464.tif 000005
【図５】
0005378464.tif 000006
【図６】
0005378464.tif 000007
【図７】
0005378464.tif 000008
【図８】
0005378464.tif 000009